(57)【要約】  【課題】  建築物の中間階免震層に設置された免震装置の耐火被覆構造を提供する。  【解決手段】  下部構造体の上面外周に沿って耐火性を有する部材が設置されている。上部構造体の下面の四隅位置にＬ型金物が取り付けられており、同Ｌ型金物の平面部の上端位置には、耐火パネルの回転軸となる軸ボルトを通すボルト穴が形成されている。Ｌ型金物の相互間に、ナットを備えた耐火パネルが配置され、同ナットにはＬ型金物のボルト穴に通された軸ボルトがネジ込まれて耐火パネルが回転可能に支持されている。Ｌ型金物はその外面部を耐火ブロックで被覆されている。Ｌ型金物の角部近傍、又は上部構造体における耐火パネルの内側面の四隅位置に、ストッパー金物が取り付けられている。【選択図】  【図１】
2005320743.tif 000002
【特許請求の範囲】
【請求項１】
建築物の中間階免震層で上部構造体と下部構造体との間に設置された免震装置の耐火被覆構造であって、
下部構造体の上面外周に沿って、免震装置の下側フランジを下部構造体に接合したボルト又はナットの天端よりも若干せいが高い耐火ボード等の耐火性を有する部材が設置されていること、
上部構造体の下面の四隅位置に、耐火パネルを支持するＬ型金物が、内隅部を上部構造体の対角線方向に向け、且つ同Ｌ型金物の各平面部が辺方向に隣接する他のＬ型金物の平面部と平行に相対峙する配置で取り付けられており、同Ｌ型金物の平面部の上端位置には、耐火パネルの回転軸となる軸ボルトを通すボルト穴が形成されていること、
隣接する前記Ｌ型金物の相互間に、両側面部の上端部における厚さ方向の略中央位置にナットを備えた耐火パネルが配置され、前記ナットにはＬ型金物のボルト穴に通された軸ボルトがネジ込まれて耐火パネルが回転可能に支持されていること、
Ｌ型金物はその外面部を耐火ブロックで被覆されていること、
Ｌ型金物の角部近傍、又は上部構造体における耐火パネルの内側面の四隅位置に、ストッパー金物が取り付けられていることを特徴とする、免震装置の耐火被覆構造。
【請求項２】
上部構造体の下面又は耐火パネルの上面、及び耐火ボード等の耐火性を有する部材の上面又は耐火パネルの下面、並びに耐火パネルの左右の側面又はＬ型金物の外側面の少なくとも一方にガスケット又は加熱発泡ゴムが設けられていることを特徴とする、請求項１に記載した免震装置の耐火被覆構造。
【請求項３】
耐火パネルの内側面の下端部にＬ型金物等の水平部材が設けられており、同水平部材の下面に加熱発泡ゴムが設けられていることを特徴とする、請求項１に記載した免震装置の耐火被覆構造。
【請求項４】
耐火パネルのナットの周辺部分は補強金物で補強されていることを特徴とする、請求項１に記載した免震装置の耐火被覆構造。
【請求項５】
耐火パネルを支持するＬ型金物の上端部に水平方向のフランジ板が設けられており、同フランジ板が上部構造体へホールインアンカーなどの手段によって接合されていることを特徴とする、請求項１に記載した免震装置の耐火被覆構造。
【請求項６】
耐火ブロックは、無機系接着剤とビスを併用して耐火パネルを支持するＬ型金物に接合されていることを特徴とする、請求項１に記載した免震装置の耐火被覆構造。
【発明の詳細な説明】
【技術分野】
【０００１】
この発明は、建築物の中間階免震層に設置された免震装置の耐火被覆構造の技術分野に属する。
【背景技術】
【０００２】
建築物の中間階免震層に設置された免震装置の荷重支持能力が火災時に低下しないように、従来から免震装置を耐火被覆する技術は種々開発されており、公知である。そのなかでも代表的な被覆構造としては、分割摺動型（特許文献１）、多段スライド型（特許文献２）、提灯型（特許文献３）、巻き付け型（特許文献４）、パネル回転型（特許文献５）の被覆構造を挙げることができるが、免震装置の定期的なメンテナンスが困難であったり、意匠性が劣るなどの問題点を有していた。
【０００３】
そこで、本出願人は以下の被覆構造を開発し、特許出願している。当該被覆構造は、耐火パネルをけい酸カルシウム板とその両面の表面鋼板とで構成し、その上端部を上部構造体にヒンジ機構によって回転可能に取り付けた構造とすることで、意匠性に優れ、メンテナンスが容易な被覆構造を実現している（特許文献６）。
【０００４】
【特許文献１】特開平１０−２２７１５号公報
【特許文献２】特開平１１−７１９３８号公報
【特許文献３】特開平３−８７４４３号公報
【特許文献４】特開平１０−１８４３３号公報
【特許文献５】実公平７−１３６９号公報
【特許文献６】特開２００２−１６１５９４号公報
【発明の開示】
【発明が解決しようとする課題】
【０００５】
上記特許文献６の第５図には、耐火パネルの取り付け構造の一例として、同耐火パネルの上端部を外方からヒンジ機構によって上部構造体に取り付けた形態が開示されている。しかし、前記取り付け構造によれば、耐火パネルの重心が外側に位置し、同耐火パネルが自然に外方へ回転して開いてしまう虞がある。そのため、隣接する耐火パネル同士はスプリングなどの復元部材で連結して前記耐火パネルの不用意な回転を抑制する必要がある。従って、耐火パネルの取り付け構造の如何によっては、施工が煩雑になったり、前記スプリングなどの復元部材がメンテナンス時の弊害になったりする問題が生じる。また、前記ヒンジ機構は外方から視認されるので、意匠性を損なう問題も生じる。つまり、上記特許文献６の被覆構造は、未だ改良の余地が残された技術である。
【０００６】
本発明の目的は、耐火パネルを両側面部の上端部における厚さ方向の略中央位置で、回転可能に支持することで、耐火パネルの重心を厚さ方向の略中央に位置させ、不用意に外方へ回転して開くことがなく、そのため、スプリングなどの復元部材を省略することができ、施工が簡易で、メンテナンスが容易な免震装置の耐火被覆構造を提供することである。
本発明の次の目的は、耐火パネルの回転軸が外方から見えない構造とすることで、意匠性に優れた免震装置の耐火被覆構造を提供することである。
【課題を解決するための手段】
【０００７】
上記従来技術の課題を解決するための手段として、請求項１に記載した発明に係る免震装置の耐火被覆構造は、
建築物の中間階免震層で上部構造体と下部構造体との間に設置された免震装置の耐火被覆構造であって、
下部構造体の上面外周に沿って、免震装置の下側フランジを下部構造体に接合したボルト又はナットの天端よりも若干せいが高い耐火ボード等の耐火性を有する部材が設置されていること、
上部構造体の下面の四隅位置に、耐火パネルを支持するＬ型金物が、内隅部を上部構造体の対角線方向に向け、且つ同Ｌ型金物の各平面部が辺方向に隣接する他のＬ型金物の平面部と平行に相対峙する配置で取り付けられており、同Ｌ型金物の平面部の上端位置には、耐火パネルの回転軸となる軸ボルトを通すボルト穴が形成されていること、
隣接する前記Ｌ型金物の相互間に、両側面部の上端部における厚さ方向の略中央位置にナットを備えた耐火パネルが配置され、前記ナットにはＬ型金物のボルト穴に通された軸ボルトがネジ込まれて耐火パネルが回転可能に支持されていること、
Ｌ型金物はその外面部を耐火ブロックで被覆されていること、
Ｌ型金物の角部近傍、又は上部構造体における耐火パネルの内側面の四隅位置に、ストッパー金物が取り付けられていることを特徴とする。
【０００８】
請求項２記載の発明は、請求項１に記載した免震装置の耐火被覆構造において、
上部構造体の下面又は耐火パネルの上面、及び耐火ボード等の耐火性を有する部材の上面又は耐火パネルの下面、並びに耐火パネルの左右の側面又はＬ型金物の外側面の少なくとも一方にガスケット又は加熱発泡ゴムが設けられていることを特徴とする。
【０００９】
請求項３記載の発明は、請求項１に記載した免震装置の耐火被覆構造において、
耐火パネルの内側面の下端部にＬ型金物等の水平部材が設けられており、同水平部材の下面に加熱発泡ゴムが設けられていることを特徴とする。
【００１０】
請求項４記載の発明は、請求項１に記載した免震装置の耐火被覆構造において、
耐火パネルのナットの周辺部分は補強金物で補強されていることを特徴とする。
【００１１】
請求項５記載の発明は、請求項１に記載した免震装置の耐火被覆構造において、
耐火パネルを支持するＬ型金物の上端部に水平方向のフランジ板が設けられており、同フランジ板が上部構造体へホールインアンカーなどの手段によって接合されていることを特徴とする。
【００１２】
請求項６記載の発明は、請求項１に記載した免震装置の耐火被覆構造において、
耐火ブロックは、無機系接着剤とビスを併用して耐火パネルを支持するＬ型金物に接合されていることを特徴とする。
【発明の効果】
【００１３】
本発明に係る免震装置の耐火被覆構造は、耐火パネルが厚さ方向の略中央位置で回転可能に支持されているため、支持された耐火パネルの重心は厚さ方向の略中央に位置し、不用意に外方へ回転して開くことがない。そのため、スプリングなどの復元部材を設ける必要がなく、施工が簡易である。しかも、耐火ブロックを取り外し、ボルトを緩めるだけで、簡単に耐火パネルを取り外すことができ、免震装置のメンテナンスを容易にできる。
また、耐火パネルの軸ボルトが外方からほとんど見えないので、意匠性に優れている。
【発明を実施するための最良の形態】
【００１４】
以下に、請求項１〜請求項６に記載した発明に係る免震装置の耐火被覆構造（以下、単に被覆構造と云う場合がある。）の実施例を、図１〜図７に基づいて説明する。本発明の被覆構造は、ビルやマンション等の建築物の中間階免震層で上部構造体と下部構造体との間に設置された免震装置１の荷重支持能力が火災時に低下しないように実施される。ちなみに、本実施形態では、断面が四角形状の上部柱２ａと下部柱２ｂの間に設置された免震装置１を耐火被覆している。
【００１５】
免震装置１は、積層ゴム３の上下にフランジ４、５を有する通例の免震装置であり、その上側フランジ４は上部柱２ａにボルト６で剛強に連結され、下側フランジ５は下部柱２ｂにボルト６で剛強に連結されている。
【００１６】
下部柱２ｂの上面外周に沿って、すなわち前記免震装置１の下側フランジ５の周辺部には、同フランジ５を下部柱２ｂに接合したボルト６の天端よりも若干せいが高い耐火ボード７が設置されている。耐火ボード７はけい酸カルシウム板などの耐火部材で構成されており、上面は平滑な仕上げ面に加工されている。そして、この外周側面は、意匠性を良くするために化粧鋼板又はステンレス鋼板が設けられている（図示を省略）。
【００１７】
前記耐火ボード７と上部柱２ａの間で免震装置１の四方を取り囲むように、すなわち上下の柱２ａ、２ｂの外周に沿って配置される４枚の耐火パネル８…を支持するＬ型金物（アングル材）９が、上部柱２ａの下面の四隅位置に取り付けられている（図２及び図３を参照）。具体的には、Ｌ型金物９は前記耐火ボード７と上部柱２ａとの間の高さと略等しく、その上端部には上部柱２ａに接合するための水平方向のフランジ板１０が設けられている（図４を参照）。このＬ型金物９は、上下の柱２ａ、２ｂの外周に沿って配置される耐火パネル８を一辺とする四角形の各隅部において、Ｌ型金物９の内隅部９ａを上部柱２ａの対角線方向に向け、且つＬ型金物９の平面部９ｂが辺方向に隣接するＬ型金物９の平面部９ｂと平行に相対峙するように配置され、その上端部のフランジ板１０が上部柱２ａにホールインアンカーなどの手段１１によって接合されている（請求項５記載の発明）。そして、このＬ型金物９の平面部９ｂの上端位置には、耐火パネル８の回転軸となる軸ボルト１２を通すボルト穴１３が形成されている。
【００１８】
隣接する前記Ｌ型金物９と９の相互間に耐火パネル８が配置され、同耐火パネル８は回転した際に上下縁が柱２ａ、２ｂへ接触しないように、上下に所定の高さのクリアランスＨを開けて回転可能に支持されている（図４を参照）。耐火パネル８は、けい酸カルシウム板などの耐火部材を芯材とし、その内外両面を化粧鋼板又はステンレス鋼板で被覆したサンドイッチ構造とされている。耐火パネル８の高さは、上下に所定の高さのクリアランスＨを形成することができるように、耐火ボード７と上部柱２ａの間の高さより若干低く形成されている。両側面部の上端部における厚さ方向の略中央位置にナット１４が埋め込まれており、その周辺部分が補強金物１５で補強されている（請求項４記載の発明）。このナット１４には上記Ｌ型金物９のボルト穴１３に通された軸ボルト１２がネジ込まれている。耐火パネル８は厚さ方向の略中央位置で支持されているため、支持された耐火パネル８の重心は厚さ方向の略中央に位置し、不用意に外方へ回転して開くことがない。そのため、スプリングなどの復元部材を設ける必要がなく、施工が簡易である。
【００１９】
Ｌ型金物９はその外面部を耐火ブロック１６で被覆されている。耐火ブロック１６も、上記耐火ボード７と同様にけい酸カルシウム板などの耐火部材で構成されており、外周側面は意匠性を良くするために化粧鋼板又はステンレス鋼板が設けられている。この耐火ブロック１６は、無機系接着剤１７とビス１８を併用してＬ型金物９に接合されており（請求項６記載の発明）、同耐火ブロック１６は、ビス１８を緩め、Ｌ型金物９との境界部分をマイナスドライバー等でこじると、取り外すことができる。そのため、耐火ブロック１６を取り外し、軸ボルト１２を緩めるだけで、簡単に耐火パネル８を取り外すことができ、免震装置１のメンテナンスを容易にできる。また、軸ボルト１２の頭部分は耐火ブロック１６によって完全に隠れ、しかも同軸ボルト１２の軸部分は耐火パネル８の厚さ方向の略中央位置にあるので、外方からほとんど見えず、意匠性に優れている。
【００２０】
Ｌ型金物９の内隅部９ａ近傍には、耐火パネル８の内方への回転を防ぐためのストッパー金物１９が設置されている。通常時及び火災時に耐火パネル８を安定させるためである（図３を参照）。
【００２１】
上部柱２ａの下面、及び耐火ボード７の上面、並びに耐火パネル８の左右の側面には、火災時における火熱の流入を防止するために、所定の耐火性能を有するブチルゴム系等の加熱発泡ゴム２０（但し、シリコーン系等のガスケットでも良い。）が設けられている（請求項２記載の発明）。火災時には、前記加熱発泡ゴム２０が発泡し、耐火パネル８の上下のクリアランスＨ及び左右の小口からの火熱の流入を防ぐことができる。
【００２２】
上記構成の被覆構造は、地震などで水平変位が生じると、図５に示すように、水平変形側に位置する耐火パネル８が、上記ストッパー金物１９によって内方への回転が防がれ、略鉛直状態を保ったまま水平移動する。他方側の耐火パネル８は、免震装置１に接触するまで略鉛直状態を保ったまま水平移動し、接触してからは免震装置１に押し出されるように外方へ回転追従する。揺れ戻しの際には、回転追従した耐火パネル８は、重心が厚さ方向の略中央位置にあるので、同耐火パネル８の自重によって自然に内方へ回転し、ストッパー金物１９に接触して元の形態に復元される。そのため、スプリングなどの復元部材がやはり不要である。また、免震装置１を損傷したり、水平変位を妨害することがない。
【００２３】
ちなみに、火熱の流入を確実に防ぐべく、図６に示すように、耐火パネル８の内側面の下端部にＬ型金物２１（但し、水平方向に延長できる部材であれば良い。）を設け、同Ｌ型金物２１の下面にも加熱発泡ゴム２０を設けると良い（請求項３記載の発明）。加熱発泡ゴム２０の水平方向への設置領域が広がり、図７に示すように、万一、火災時に耐火パネル８が外方に開いても、確実に耐火ボード７と耐火パネル８とのクリアランスを塞いで、火熱の流入を防ぐことができる。
【００２４】
なお、上記実施形態では、免震装置１の下側フランジ５の周辺部に耐火ボード７を設置したが、耐火性能を有する部材、例えばモルタルを設置しても同様に実施できる。
【００２５】
また、上記実施形態では、けい酸カルシウム板を芯材とし、その内外両面を化粧鋼板又はステンレス鋼板で被覆したサンドイッチ構造とされた耐火パネル８を用いたが、化粧鋼板又はステンレス鋼板で被覆していない耐火パネルを用いて実施することもできる。
【図面の簡単な説明】
【００２６】
【図１】本発明に係る免震装置の耐火被覆構造を概念的に示した立面図である。
【図２】本発明に係る免震装置の耐火被覆構造を概念的に示した水平断面図である。
【図３】耐火パネルとＬ型金物及び耐火ブロックの取り合い構造を示した図である。
【図４】図３のＡ−Ａ矢視断面図である。
【図５】本発明に係る免震装置の耐火被覆構造の水平変位時を概念的に示した立面図である。
【図６】異なる耐火パネルの下部構造を示した立面図である。
【図７】図６の耐火パネルの下部構造において、火災時に外方に回転して開いた状態を示した立面図である。
【符号の説明】
【００２７】
１        免震装置
２ａ      上部柱（上部構造体）
２ｂ      下部柱（下部構造体）
３        積層ゴム
４、５    フランジ
６        ボルト
７        耐火ボード
８        耐火パネル
９        Ｌ型金物
１２      軸ボルト
１３      ボルト穴
１４      ナット
１５      補強金物
１６      耐火ブロック
１７      無機系接着剤
１８      ビス
１９      ストッパー金物
２０      加熱発泡ゴム
２１      Ｌ型金物
【図１】
2005320743.tif 000003
【図２】
2005320743.tif 000004
【図３】
2005320743.tif 000005
【図４】
2005320743.tif 000006
【図５】
2005320743.tif 000007
【図６】
2005320743.tif 000008
【図７】
2005320743.tif 000009